(57)【要約】      （修正有）【課題】  カード挿抜に伴う放熱板の下面に装着された伝熱シートの剥離を防止できるカードコネクタを提供する。【解決手段】  コネクタ本体３にカードＣの挿入方向Ｘと直交する方向Ｙに移動可能に取り付けられた放熱板４と、上記本体３に上記カード挿入方向Ｘにスライド可能に取り付けられたスライダ９と、該スライダ９に上記カードＣと係合するために設けられた係合部１０とを備え、スライダ９と放熱板４との間に、上記スライダ９がカード挿入方向Ｘの後方の位置のときには、上記放熱板４を上記バネ５の付勢力に抗してリフトさせて上記カードＣの一側面Ｃ２から離間させ、上記スライダ９が上記本体３に挿入されたカードＣによりカード挿入方向Ｘに移動されてカードＣの接触子Ｃ１が本体３の端子部２に接続されるときには、上記放熱板４を上記カードＣの一側面Ｃ２に当接させるためのカム機構１２を複数設けるものである。【選択図】  図１
2007026854.tif 000002
【特許請求の範囲】
【請求項１】
カードが挿入されてその接触子が接続される端子部を備えたコネクタ本体と、該本体に、これに挿入されるカードの一側面に対向させて、カードの挿入方向と直交方向に移動可能に取り付けられた放熱板と、該放熱板を上記カードの一側面に押し付けるように付勢するためのバネと、上記本体に、上記カードの幅方向両端部に配置され、カードの挿入方向にスライド可能に取り付けられたスライダと、該スライダに設けられ、上記カードと係合して上記スライダをカードの挿入方向に移動させるための係合部とを備え、
上記スライダと上記放熱板との間に、上記スライダがカード挿入方向後方の位置のときには、上記放熱板を上記バネの付勢力に抗してリフトさせて上記カードの一側面から離間させ、上記スライダが上記本体に挿入されたカードによりカード挿入方向に移動されてカードの接触子が本体の端子部に接続されるときには、上記放熱板を上記カードの一側面に当接させるためのカム機構を複数設け、
これらカム機構が、上記放熱板を三点以上で平面的に支持するように、上記スライダに間隔を隔てて複数配置され、放熱板をカードの一側面に対して平行に昇降させるものであることを特徴とするカードコネクタ。
【請求項２】
上記コネクタ本体に、上記カードの挿入方向に摺動可能に装着され、上記スライダの係合部に当接して上記挿入方向に移動される摺動部材と、上記本体に、上記挿入方向にスライド可能に装着されたエジェクトバーと、該エジェクトバーと上記摺動部材とを連動させるべく、一端が該エジェクトバーに他端が上記摺動部材に連結されると共に両端の間で上記本体に枢支されたリンクとを備え、
該リンクは、上記摺動部材が上記本体に挿入されたカードにより上記挿入方向に移動されてカードの接触子が本体の端子部に接続されたとき、上記エジェクトバーを上記挿入方向後方のセット位置に移動させ、そのセット位置のエジェクトバーを上記挿入方向前方のエジェクト位置に移動したとき、上記摺動部材を上記挿入方向後方に移動させてカードの接触子を本体の端子部から離間させるものである請求項１記載のカードコネクタ。
【請求項３】
上記各カム機構が、上記スライダに設けられたカム山と、上記放熱板に設けられたカムフォロアとを有する請求項１又は２記載のカードコネクタ。
【発明の詳細な説明】
【技術分野】
【０００１】
本発明は、ＰＣカード等のカードが挿入されて接続されるカードコネクタに係り、特に、挿入されたカードから発生される熱を放出させるための放熱板を備えたカードコネクタに関するものである。
【背景技術】
【０００２】
一般に、ノート型パソコン等には機能を拡張するためのＰＣカードスロットが標準的に装備され、その内部に該ＰＣカードが接続されるカードコネクタが組み込まれている。これにより、該カードを同スロットに挿入してカードコネクタに接続することで、無線通信等をこのカードを通じて上記パソコンから行うことができるようになっている。
【０００３】
ところで、最近、同カードが、有線及び無線ＬＡＮ機能、拡張メモリ機能、ハードディスクユニット等の機能の他、テレビジョン受信機能等も有するようになって来ており、かかる高機能のカードにあっては、その内部に高密度のＬＳＩを設けていることから、作動時、カードから高温の熱が発生するので、放熱手段を備えたカードコネクタが提案されて来ている。
【０００４】
従来、この様なカードのための放熱板を備えたカードコネクタとして、カードの幅方向両端部にカードの挿入方向に沿って夫々設けられたカードガイドと、カードガイドに対してカードの挿入方向の奥側に配置されたヒンジ軸を中心としてドアスイングのように回動可能に設けられたヒンジアームと、ヒンジアームに軸を介して枢支された放熱板とを備え、ヒンジアームを開いた状態でカードをカードガイドに沿って挿入したとき、ヒンジアームが閉じられて放熱板がカードの一側面に押し付けられるようになっているものが知られている（特許文献１）。
【０００５】
また、通常、上記放熱板はアルミ・ダイキャスト製であり、カードは合成樹脂体或いはその外周をアルミ板等で覆ったものであるから、只単に、放熱板をカードに押し付けても両者の間では幾つかの点接触が行われるものの、面接触と言うには程遠く、熱伝達効率が悪いため、上記放熱板の下面に柔らかで密着性の良い伝熱シート（特許文献２）を貼付し、カードをこのシートに面接触させている。
【０００６】
【特許文献１】特開２００５−１１６５６４号公報
【特許文献２】特開平２−１９６４５３号公報
【発明の開示】
【発明が解決しようとする課題】
【０００７】
ところで、上述のカードコネクタにおいては、放熱板はヒンジアームの軸に枢支されているためその軸回りにフラフラと回転し得ることになる。このため、ヒンジアームが閉じられて放熱板がカードの一側面に押し付けられるとき、放熱板の下面が挿入されたカードの先端部や上面に片当たり状態で接触し、放熱板及びカードが損傷したり、放熱板の下面に貼付された伝熱シートが剥離・損傷する事態が起こり得る。
【０００８】
一旦、伝熱シートの一部（端部等）が剥離し始めると、カードを挿入する度にカードがシートの剥離部分に引っ掛かって剥離が進行してしまう。そして、剥がれてしまった伝熱シートは、パソコンやカードコネクタを分解しなければ交換・修理することができず、大きな作業コストが必要となる。
【０００９】
以上の事情を考慮して創案された本発明の目的は、放熱板がカードに押し付けられるとき、放熱板とカードとの片当たりを回避することで双方の部材の損傷を防止でき、放熱板の下面に装着された伝熱シートの剥離を防止できるカードコネクタを提供することにある。
【課題を解決するための手段】
【００１０】
上記目的を達成すべく本発明に係るカードコネクタは、カードが挿入されてその接触子が接続される端子部を備えたコネクタ本体と、該本体に、これに挿入されるカードの一側面に対向させて、カードの挿入方向と直交方向に移動可能に取り付けられた放熱板と、該放熱板を上記カードの一側面に押し付けるように付勢するためのバネと、上記本体に、上記カードの幅方向両端部に配置され、カードの挿入方向にスライド可能に取り付けられたスライダと、該スライダに設けられ、上記カードと係合して上記スライダをカードの挿入方向に移動させるための係合部とを備え、上記スライダと上記放熱板との間に、上記スライダがカード挿入方向後方の位置のときには、上記放熱板を上記バネの付勢力に抗してリフトさせて上記カードの一側面から離間させ、上記スライダが上記本体に挿入されたカードによりカード挿入方向に移動されてカードの接触子が本体の端子部に接続されるときには、上記放熱板を上記カードの一側面に当接させるためのカム機構を複数設け、これらカム機構が、上記放熱板を三点以上で平面的に支持するように、上記スライダに間隔を隔てて複数配置され、放熱板をカードの一側面に対して平行に昇降させるものである。
【００１１】
上記コネクタ本体に、上記カードの挿入方向に摺動可能に装着され、上記スライダの係合部に当接して上記挿入方向に移動される摺動部材と、上記本体に、上記挿入方向にスライド可能に装着されたエジェクトバーと、該エジェクトバーと上記摺動部材とを連動させるべく、一端が該エジェクトバーに他端が上記摺動部材に連結されると共に両端の間で上記本体に枢支されたリンクとを更に備え、該リンクは、上記摺動部材が上記本体に挿入されたカードにより上記挿入方向に移動されてカードの接触子が本体の端子部に接続されたとき、上記エジェクトバーを上記挿入方向後方のセット位置に移動させ、そのセット位置のエジェクトバーを上記挿入方向前方のエジェクト位置に移動したとき、上記摺動部材を上記挿入方向後方に移動させてカードの接触子を本体の端子部から離間させるものであってもよい。
【００１２】
上記各カム機構が、上記スライダに設けられたカム山と、上記放熱板に設けられたカムフォロアとを有するものであってもよい。
【発明の効果】
【００１３】
本発明に係るカードコネクタによれば、放熱板がカードの挿入又は排出動作に伴ってカードの一側面に対して平行に昇降されるので、放熱板がカードに対して片当たりすることが無く、カード及び放熱板の損傷を防止できる。また、放熱板に装着された伝熱シートの剥離・損傷を防止できる。
【発明を実施するための最良の形態】
【００１４】
以下、本発明の好適実施形態を添付図面に基づいて説明する。
【００１５】
図１は本実施形態に係る放熱板付きのカードコネクタの斜視図、図２は図１から放熱板を撤去して内部を可視的に示した斜視図、図３は図２のIII−III線断面図、図４はカードエジェクト時（放熱板が上昇している状態）のカードコネクタの側面図、図５はカードセット時（放熱板が下降している状態）のカードコネクタの側面図である。
【００１６】
本実施形態に係るカードコネクタは、ノートパソコン等に装備されるもので、コネクタに挿入されたカード（ＰＣカード）の接触子がコネクタの端子部に接続されるとき、放熱板がカードの一側面（上面）に平行に近接して圧接され、カードを排出するときには放熱板がカードの上面から平行に離間され、上記圧接が解かれるようになっている。
【００１７】
以下、本実施形態に係るカードコネクタについて、放熱板をカードの上面に対して平行に昇降させるための機構を中心に説明する。
【００１８】
図１及び図２に示すように、本実施形態に係るカードコネクタ１は、カードＣ（ＰＣカード）が水平に挿入されてその接触子Ｃ１（図３）が接続される端子部２を備えたコネクタ本体３と、これに挿入されるカードＣの上面Ｃ２に対向し、且つカードＣの挿入方向Ｘと直交する方向Ｙに移動可能に取り付けられた放熱板４と、放熱板４をカードＣの上面Ｃ２に押し付けるように付勢するためのバネ５（図４）とを備えている。
【００１９】
上記コネクタ本体３は、図示しない回路基板に取り付けられるものであり、図２及び図３に示すように、カードＣの接触子Ｃ１が接続される端子部２を備えた端子ブロック３ａ（樹脂製）と、端子ブロック３ａの幅方向両端部に夫々取り付けられたカードレール３ｂ（樹脂製）とを有する。カードレール３ｂは、端子ブロック３ａからカードＣの挿入方向後方（排出方向）に延出されており、カードＣを挿入方向に沿って案内するための断面コ字状のガイド溝６を有する。カードＣがカードレール３ｂのガイド溝６に沿って挿入されると、カードＣの先端部にその幅方向に間隔を隔てて設けられた複数の接触子Ｃ１（接続穴）が、端子ブロック３ａの端子部２（接続ピン）に夫々接続されるようになっている。
【００２０】
上記放熱板４は、カードＣの上面Ｃ２に接触してカードＣの熱を外部に放出するためのものであり、図１及び図４に示すように、平板状のベース部４ａと、ベース部４ａの上面にカード挿入方向Ｘに間隔を隔てて設けられた複数の放熱フィン４ｂとを有し、アルミ・ダイキャスト等によって製造されている。放熱板４は、カードレール３ｂにホルダ７を介して取り付けられており、このホルダ７によってカードＣの上面Ｃ２に対する直交方向Ｙに所定範囲で移動可能に保持されている。なお、放熱フィン４ｂは、カード挿入方向Ｘに対して平行に配されていても良い。また、放熱板４は、その下面（カードＣの上面Ｃ２に対向する面）に装着された図示しない伝熱シートを備えている。
【００２１】
ホルダ７は、細長い略長方形状の金属板をコ字状に折り曲げて成り、その中央部７ａが放熱板４の上面の放熱フィン４ａの間の部分に丁度嵌るように配置され、両端部７ｂがカードレール３ｂに圧入等によって固定されている。これにより、放熱板４がカードＣの挿入方向Ｘに移動することが防止される。また、ホルダ７の中央部７ａと両端部７ｂとを繋ぐ折曲部分には、その一部が内側に切り起こされてガイド部７ｃが形成されている。ガイド部７ｃは、放熱板４の幅方向の端面に当接すると共にカードレール３ｂ側に延出されており、放熱板４をカードＣの幅方向にずれないように保持しつつ、前記直交方向Ｙへの動作の際の案内をする。ホルダ７は、カードＣの挿入方向Ｘに間隔を隔てて複数（図例では二個）配置されている。放熱板４をカードＣの挿入方向Ｘに傾斜させることなく安定して水平に保持するためである。
【００２２】
上記バネ５は、図１及び図４に示すように、ホルダ７の中央部７ａに設けられた底空き筒体８の内部に、下端が放熱板４の上面に当接され、上端が底空き筒体８の天井部に当接されて圧縮状態で収容されており、放熱板４をカードＣの上面Ｃ２に押し付ける方向に付勢するものである。バネ５は、各ホルダ７の中央部７ａに、カードＣの幅方向に間隔を隔てて複数（図例では二個ずつ）配置されている。放熱板４をカードＣの幅方向に傾斜させることなく安定して水平にカードＣの上面Ｃ２に押し付けるためである。
【００２３】
上記伝熱シートは、放熱板４の下面に接着等によって装着され、放熱板４がその自重及びバネ５（図４）の付勢力によってカードＣの上面Ｃ２に向けて押し付けられるとき、カードＣの上面Ｃ２と面接触することで、カードＣの熱を効率よく放熱板４に伝達するものであり、その表層は柔らかで密着性を有している。
【００２４】
また、本実施形態に係るカードコネクタ１は、図２に示すように、上記本体３のカードレール３ｂに、カードＣの挿入方向Ｘにスライド可能に取り付けられた一対のスライダ９と、これら各スライダ９に夫々設けられ、カードＣの先端部Ｃ３（図３）と係合してスライダ９をカード挿入方向Ｘに移動させるための係合部１０（図３）とを備えている。
【００２５】
上記スライダ９は、図２に示すように、各カードレール３ｂにカード挿入方向Ｘに沿って形成されたガイド溝１１にスライド可能に遊嵌された縦材９ａと、縦材９ａの先端から一旦上方に延出された後にカードレール３ｂを避けるようにしてカードＣの幅方向内側に屈曲された横材９ｂとを有し、金属板をプレス成形する等して製造されている。
【００２６】
前記係合部１０は、図２及び図３に示すように、上記横材９ｂの端部に下方に屈曲されて形成されており、カードＣの先端部Ｃ３が当接され得るようになっている。挿入されたカードＣの先端部Ｃ３が上記係合部１０に当接すると、以降、スライダ９（横材９ｂ＋縦材９ａ）がカードＣと一体的に挿入方向Ｘに移動されることになる。
【００２７】
また、本実施形態に係るカードコネクタ１は、図１に示すように、スライダ９と放熱板４との間に、放熱板４に対するスライダ９の移動によって放熱板４をバネ５の付勢力に逆らってリフトさせ得るカム機構１２が複数設けられている。これらカム機構１２は、図２にも示すように、放熱板４を少なくとも三点以上で、本実施形態では四点で、平面的に支持するように、スライダ９に間隔を隔てて複数配置されており、放熱板４をカードＣの上面Ｃ２に対して平行に昇降させるものである。
【００２８】
図例では、カム機構１２は、図２及び図４に示すように、各スライダ９にカード挿入方向Ｘに間隔を隔てて夫々二個ずつ上方から見て長方形の頂点の位置に配置され、放熱板４を四点で支持することでカードＣの上面Ｃ２に対して平行に昇降させるようになっている。但し、一方のスライダ９にカード挿入方向Ｘに間隔を隔てて二個のカム機構１２、１２を配置すると共に、他方のスライダ９に側方から見て前記二個のカム機構１２、１２の間に位置させて一個のカム機構１２を配置することで、放熱板４を三点（上方から見て正三角形の頂点の位置が好ましい）で支持するようにしてもよい。
【００２９】
各カム機構１２は、図４に示すように、スライダ９に設けられたカム山１２ａと放熱板４に設けられたカムフォロア１２ｂとから成り、同一のリフト特性及びリフト高さを有する。カム山１２ｂは、側方から見て台形状に形成されており、カード挿入方向Ｘに沿って徐々に高くなる斜面部１２ｃを有する。カムフォロア１２ｂは、放熱板４の下面に装備されたクロスバー１３から成り、クロスバー１３は、放熱板４の下面に、カードＣの幅方向に沿って形成された溝１４に嵌め込まれている。
【００３０】
上述の四つのカム機構１２は、図４に示すように、スライダ９がカード挿入方向Ｘの後方に移動され、カムフォロア１２ｂがカム山１２ａの斜面部１２ｃに乗り上がっているときには、放熱板４をバネ５の付勢力に抗してリフトさせてカードＣの上面Ｃ２から離間させ、また、図５に示すように、スライダ９がカード挿入方向Ｘに移動され、カムフォロア１２ｂがカム山１２ａの斜面部１２ｃから滑り降りているときには、放熱板４をその自重及びバネ５の付勢力によってカードＣの上面Ｃ２に圧接させるものである。
【００３１】
また、本実施形態に係るカードコネクタ１は、図２に示すように、コネクタ本体３の端子ブロック３ａに、カード挿入方向Ｘに摺動可能に装着された摺動部材１５（金属製）と、本体３の一方（図中左方）のカードレール３ｂに、カード挿入方向Ｘにスライド可能に装着されたエジェクトバー１６（金属製）と、エジェクトバー１６と摺動部材１５とに連結されてこれらを連動させるリンク１７（金属製）とを備えている。
【００３２】
上記摺動部材１５は、図２及び図３に示すように、各スライダ９の係合部１０に当接し得る当接部１８を有し、係合部１０が当接部１８に当接することでカード挿入方向Ｘに移動されるようになっている。
【００３３】
上記エジェクトバー１６は、図２に示すように、カードレール３ｂに設けられたバーケース１９（樹脂製）に形成されたガイド穴にスライド可能に挿入されており、カード挿入方向Ｘに移動可能となっている。エジェクトバー１６の端部には該バー１６をカード挿入方向Ｘに押圧する際の操作釦２０が取り付けられている。
【００３４】
上記リンク１７は、一端がエジェクトバー１６の端部に形成された長穴２１に差し込まれ、他端に形成された長穴２２が摺動部材１５に設けた突起部２３に差し込まれ、夫々所定のガタを持って連結されると共に、その略中央が本体３の端子ブロック３ａに枢支軸２４で枢支されている。このリンク１７は、摺動部材１５とエジェクトバー１６とを次のように連動させる。
【００３５】
すなわち、カードレール３ｂに沿って挿入されたカードＣの先端部Ｃ３が図３に示すスライダ９の係合部１０に突き当たり、係合部１０が摺動部材１５の当接部１８に押し付けられ、摺動部材１５が挿入方向Ｘに移動されると、この摺動部材１５の移動に伴って図２に示すリンク１７が枢支軸２４を中心に反時計回りに回動され、エジェクトバー１６が挿入方向Ｘの反対方向（カード排出方向）に移動され、挿入方向Ｘの後方のセット位置に移動される（図５）。このとき、カードＣの接触子Ｃ１（接続穴）は本体３の端子部２（接続ピン）に嵌り込んで接続された状態（セット状態）となる。
【００３６】
その後、セット位置のエジェクトバー１６の操作釦２０を操作者が挿入方向Ｘに押圧移動して該バー１６を図４に示すエジェクト位置まで移動すると、図２に示すリンク１７が枢支軸２４を中心に時計回りに回動され、摺動部材１５が排出方向に移動される。すると、図３にて摺動部材１５の当接部１８がスライダ９の係合部１０に押し付けられ、係合部１０がカードＣの先端部Ｃ３を図中左方に押圧するため、カードＣがカードレール３ｂに沿って排出方向に移動され、カードＣの接触子Ｃ１が本体３の端子部２から引き抜かれ、カードＣがエジェクトされる。
【００３７】
本実施形態に係るカードコネクタ１の作動を説明する。
【００３８】
カードＣをカードコネクタ１にカードレール３ｂに沿って挿入するときには、この挿入の以前にカードＣをカードコネクタ１から排出するためにエジェクトバー１６をカード挿入方向Ｘに押圧移動させて図４に示すエジェクト位置としているため、放熱板４のクロスバー１３がスライダ９のカム山１２ａの斜面部１２ｃに乗り上がり、放熱板４がカードＣの上面Ｃ２に対して平行にリフトされた状態となっている。これにより、挿入されるカードＣの上面Ｃ２と放熱板４の下面に装着された伝熱シートとの間に所定の隙間が形成された状態となっており、カードＣをスムーズに挿入できる。
【００３９】
この状態で、更にカードＣをカードコネクタ１にカードレール３ｂに沿って挿入して行くと、図３に示すように、カードＣの挿入工程の終盤でカードＣの先端部Ｃ３に設けられた接触子Ｃ１（接続穴）がコネクタ１側の端子部２（接続ピン）に接続され始め、両者の接続が適度に進行したとき、カードＣの先端部Ｃ３がスライダ９の係合部１０に係合し、スライダ９の係合部１０が摺動部材１５の当接部１８に当接するため、以降、スライダ９及び摺動部材１５がカードＣと一体的に挿入方向Ｘに移動する。
【００４０】
スライダ９がカードＣと一体的に挿入方向Ｘに移動する前においては、図４に示すように、クロスバー１３がスライダ９のカム山１２ａの斜面部１２ｃに乗り上がった状態となっており、放熱板４の下面に装着された伝熱シートとカードＣの上面Ｃ２との間に所定の隙間が形成されているが、スライダ９がカードＣと一体的に挿入方向Ｘに移動し始めると、図５に示すように、放熱板４のクロスバー１３がスライダ９のカム山１２ａの斜面部１２ｃから滑り降り始め、放熱板４がその自重及びバネ５の付勢力によってカードＣの上面Ｃ２に向かって降下し始める。そして、図３に示すカードＣの接触子Ｃ１がコネクタ１側の端子部２に完全に接続した状態となるまでカードＣがコネクタ１に押し込まれると、図５に示すように、放熱板４のクロスバー１３がスライダ９のカム山１２ａの斜面部１２ｃから完全に滑り落ち、放熱板４がその自重及びバネ５の付勢力によってカードＣの上面Ｃ２に所定の力で押し付けられる。
【００４１】
ここで、放熱板４をカードＣの上面Ｃ２に対して昇降させる各カム山１２ａ及びクロスバー１３は、同一のリフト特性及びリフト高さを有すると共に放熱板４の下面を四点で平面的に支持するように左右のスライダ９に挿入方向Ｘに間隔を隔てて配置されているので、放熱板４がカードＣの上面Ｃ２に対して平行に下降することになる。よって、放熱板４の下面の伝熱シートが、挿入されるカードＣの上面Ｃ２に平行に均等に押し付けられることになり、カード挿入時におけるカードＣと放熱板４（伝熱シート）との片当たりが防止され、伝熱シートの剥離やカードＣ及び放熱板４の損傷を防止できる。
【００４２】
カードＣがコネクタ１に深く挿入されて接触子Ｃ１が端子部２に完全に接続されるときには、図３に示すように、カードＣの先端部Ｃ３に係合部１０を介して係合するスライダ９のみならす、スライダ９に当接部１０を介して当接する摺動部材１５も図中右方に移動し、図２に示すリンク１７が枢支軸２４を中心として反時計方向に回動し、エジェクトバー１６がカード挿入方向Ｘの後方に移動して図５に示すようにセット位置となる。
【００４３】
他方、カードＣをカードコネクタ１から排出するときには、エジェクトバー１６の釦２０を押して図５に示すセット位置のエジェクトバー１６をカード挿入方向Ｘに移動させて図４に示すエジェクト位置まで押し込む。すると、図２に示すリンク１７が枢支軸２４を中心に時計方向に回動され、摺動部材１５がカード排出方向に移動され、図３に示す摺動部材１５の当接部１８がスライダ９の係合部１０に当接してこれを左方（カード排出方向）に押圧し、係合部１０に係合されているカードＣが左方に移動され、カードＣの接触子Ｃ１がコネクタ１側の端子部２から引き抜かれてカードＣが排出される。
【００４４】
スライダ９がカード排出方向に移動し始めると、図５に示すように放熱板４のクロスバー１３がスライダ９のカム山１２ａの斜面部１２ｃから滑り落ちている状態から図４に示すように斜面部１２ｃに乗り上がり、放熱板４がカードＣの上面Ｃ２に圧接されている状態からリフトされ始め、最終的には放熱板４の下面に装着した伝熱シートがカードＣの上面Ｃ２から完全に離間する状態となる。
【００４５】
ここで、放熱板４をカードＣの上面Ｃ２に対して上昇させる各カム山１２ａ及びクロスバー１３は、同一のリフト特性及びリフト高さを有すると共に放熱板４の下面を四点で平面的に支持するようになっているので、放熱板４をカードＣの上面Ｃ２に対して平行に上昇させる。よって、放熱板４の下面の伝熱シートが排出されるカードＣの上面Ｃ２に平行に均等に離間することになり、カード排出時におけるカードＣと放熱板４（伝熱シート）との片当たりが防止され、伝熱シートの剥離やカードＣ及び放熱板４の損傷を防止できる。
【００４６】
また、本実施形態に係るカードコネクタ１によれば、カードＣのコネクタ１への挿入・排出に伴って、放熱板４がカードＣの上面Ｃ２に対して平行に昇降されるので、放熱板４の下面（伝熱シート）のカードＣの上面Ｃ２への密着・離間に無駄な動きが無く、カードＣをスムーズに挿入するために設定される放熱板４の下面（伝熱シート）とカードＣの上面Ｃ２との間の隙間を可及的に小さくでき、カードＣと放熱板４或いは伝熱シートとの摩擦を可及的にミニマイズできる。
【００４７】
また、カード排出時には、エジェクトバー１６がセット位置（図５）からエジェクト位置（図４）に移動するに伴って図２に示すリンク１７が枢支軸２４回りに時計方向に回動し、摺動部材１５がカード排出方向に移動し、その摺動部材１５の幅方向両端に位置する当接部１８がそれぞれスライダ９の係合部１０に当接することで、各スライダ９がカード排出方向に同量移動してカードＣが排出されるので、カードＣの幅方向の両端部が両押しされることになり、カードＣが幅方向に傾くことなく安定して排出される。
【００４８】
本発明は上記実施形態には限定されない。
【００４９】
本実施形態では、カム機構１２は、スライダ９にカム山１２ａを設け放熱板４にカムフォロア１２ｂを設けた構成としたが、逆にスライダ９にカムフォロアを設け放熱板４にカム山を設けてもよい。
【００５０】
また、カード１の接触子Ｃ１を穴状としコネクタ１の端子部２をピン状としたものを示したが、これらの関係を逆にしてもよく、また、カードＣの接触子Ｃ１をカードＣの先端側の上面又は下面に設け、これに対応させてコネクタ１の端子部２を設けてもよい。
【図面の簡単な説明】
【００５１】
【図１】本実施形態に係る放熱板付きのカードコネクタの斜視図である。
【図２】図１から放熱板を撤去して内部を可視的に示した斜視図である。
【図３】図２のIII−III線断面である。
【図４】カードエジェクト時（放熱板が上昇している状態）のカードコネクタの側面図である。
【図５】カードセット時（放熱板が降下している状態）のカードコネクタの側面図である。
【符号の説明】
【００５２】
１  カードコネクタ
２  端子部
３  コネクタ本体
４  放熱板
５  バネ
９  スライダ
１０  係合部
１２  カム機構
１２ａ  カム山
１２ｂ  カムフォロア
１５  摺動部材
１６  エジェクトバー
１７  リンク
Ｃ  カード
Ｃ１  接触子
Ｃ２  一側面である上面
Ｘ  挿入方向
Ｙ  直交方向
【図１】
2007026854.tif 000003
【図２】
2007026854.tif 000004
【図３】
2007026854.tif 000005
【図４】
2007026854.tif 000006
【図５】
2007026854.tif 000007